(57)【特許請求の範囲】
【請求項１】
水田土壌中の硫化水素の発生の有無を検知すると共に、硫化水素が発生していた場合、その水田土壌中に発生している硫化水素の濃度を確知することができる水田土壌用硫化水素検知装置であって、水田土壌に差し込み可能な差込体と、前記水田土壌中に発生している硫化水素の濃度を確知するための硫化水素濃度判断用指標色表示具とからなり、前記差込体は、表面全体に銀メッキが施された帯板状に形成された基体からなり、水田土壌中に硫化水素が発生していた場合その硫化水素と反応して水田土壌差し込み部分が変色するように構成され、前記硫化水素濃度判断用指標色表示具は、前記差込体を前記水田土壌に差し込んでいた時間別の硫化水素濃度を判断するための複数の指標色群が表示されている構成とされていて、前記水田土壌に差し込んだ差込体の表面の変色の有無により前記水田土壌中の硫化水素の発生の有無を検知すると共に、硫化水素が発生していた場合、前記硫化水素濃度判断用指標色表示具に表示された前記指標色の中の前記差込体を前記水田土壌中に差し込んでいた時間に対応する指標色群と、硫化水素により変色した前記差込体を照合することにより、前記水田土壌中に発生している硫化水素の濃度を確知することができるように構成されていることを特徴とする水田土壌用硫化水素検知装置。
【請求項２】
前記差込体は、上部にこの差込体を水田土壌に埋設した際に水田土壌より露出させこの差込体の埋設位置を見失わないようにするための目印部が設けられていることを特徴とする請求項１記載の水田土壌用硫化水素検知装置。
【請求項３】
水田土壌中の硫化水素の発生状況を確認する方法であって、表面全体に銀メッキが施され水田土壌に差し込み可能な帯板状に形成された基体からなり、水田土壌中の硫化水素と反応して水田土壌差し込み部分が変色するように構成されている差込体を、水田土壌中に差し込み、所定時間経過後、前記水田土壌から前記差込体を抜き取り、この差込体の前記水田土壌に差し込んだ部分が変色しているか否かを目視確認し、前記水田土壌に差し込んだ部分に前記変色が見られた場合、前記水田土壌中に硫化水素が発生していると判断すると共に、前記差込体を前記水田土壌に差し込んでいた時間別の硫化水素濃度を判断するための複数の指標色群が表示されている硫化水素濃度確知用指標色表示具を用い、この硫化水素濃度判断用指標色表示具に表示された複数の前記指標色群の中の前記差込体を前記水田土壌中に差し込んでいた時間に対応する指標色群と、前記差込体の変色後の色とを照合して、前記水田土壌中に発生している硫化水素の濃度を確知することを特徴とする水田における硫化水素の発生状況確認方法。
【発明の詳細な説明】
【技術分野】
【０００１】
本発明は、水田土壌中の硫化水素の発生の有無を検知する水田土壌用硫化水素検知装置、及びこの水田土壌用硫化水素検装置を用いた水田における硫化水素の発生状況を確認する硫化水素発生状況確認方法に関するものである。
【背景技術】
【０００２】
従来、水稲栽培においては、多くの水田で稲わらや堆肥、有機質肥料や有機物入り肥料などの有機物の利用が行われているが、この有機物施用は水田土壌の異常還元を引き起こし、水田土壌中に有機酸や硫化水素を発生させる要因となっている。
【０００３】
そして、この水田土壌中に発生した硫化水素は、遊離硫化水素となって苗や稲の根の機能障害（根腐れなど）を引き起こし、養分や水分の吸収を低下させ、水稲初期生育の阻害や秋落ち現象を助長し、収量や品質の低下を招く要因となっている。
【０００４】
そのため、米生産者は、水田土壌における硫化水素の発生をいち早く把握し、水田土壌中の硫化水素濃度が上昇して根の機能障害が生じる前に一時落水や田面水の更新などの対応処置を行なって硫化水素濃度を低下させなければならないが、従来、この水田土壌における硫化水素の発生状況を確知するための有用な手段（生産者が容易にできるもの）が無く、米生産者は、生育状態を確認しながら対応することとなり、常に対応が後手にならざるを得ない状況となっている。
【発明の概要】
【発明が解決しようとする課題】
【０００５】
本発明は、上述のような現状に鑑みなされたもので、米生産者が自身で容易に水田土壌中に遊離硫化水素（以下、単に硫化水素と称す）が発生しているか否かを確認することができる水田土壌用硫化水素検知装置、及びこの水田土壌用硫化水素検知装置を用いて極めて容易に水田土壌中の硫化水素の発生状況を確認することができる水田における硫化水素の発生状況確認方法を提案することを目的とする。
【課題を解決するための手段】
【０００６】
添付図面を参照して本発明の要旨を説明する。
【０００７】
水田土壌１中の硫化水素の発生の有無を検知すると共に、硫化水素が発生していた場合、その水田土壌１中に発生している硫化水素の濃度を確知することができる水田土壌用硫化水素検知装置であって、水田土壌１に差し込み可能な差込体２と、前記水田土壌１中に発生している硫化水素の濃度を確知するための硫化水素濃度判断用指標色表示具３とからなり、前記差込体２は、表面全体に銀メッキが施された帯板状に形成された基体からなり、水田土壌１中に硫化水素が発生していた場合その硫化水素と反応して水田土壌差し込み部分が変色するように構成され、前記硫化水素濃度判断用指標色表示具３は、前記差込体２を前記水田土壌１に差し込んでいた時間別の硫化水素濃度を判断するための複数の指標色群が表示されている構成とされていて、前記水田土壌１に差し込んだ差込体２の表面の変色の有無により前記水田土壌１中の硫化水素の発生の有無を検知すると共に、硫化水素が発生していた場合、前記硫化水素濃度判断用指標色表示具３に表示された前記指標色の中の前記差込体２を前記水田土壌１中に差し込んでいた時間に対応する指標色群と、硫化水素により変色した前記差込体２を照合することにより、前記水田土壌１中に発生している硫化水素の濃度を確知することができるように構成されていることを特徴とする水田土壌用硫化水素検知装置に係るものである。
【０００８】
また、前記差込体２は、上部にこの差込体２を水田土壌１に埋設した際に水田土壌１より露出させこの差込体２の埋設位置を見失わないようにするための目印部４が設けられていることを特徴とする請求項１記載の水田土壌用硫化水素検知装置に係るものである。
【０００９】
また、水田土壌１中の硫化水素の発生状況を確認する方法であって、表面全体に銀メッキが施され水田土壌１に差し込み可能な帯板状に形成された基体からなり、水田土壌１中の硫化水素と反応して水田土壌差し込み部分が変色するように構成されている差込体２を、水田土壌１中に差し込み、所定時間経過後、前記水田土壌１から前記差込体２を抜き取り、この差込体２の前記水田土壌１に差し込んだ部分が変色しているか否かを目視確認し、前記水田土壌１に差し込んだ部分に前記変色が見られた場合、前記水田土壌１中に硫化水素が発生していると判断すると共に、前記差込体２を前記水田土壌１に差し込んでいた時間別の硫化水素濃度を判断するための複数の指標色群が表示されている硫化水素濃度確知用指標色表示具３を用い、この硫化水素濃度判断用指標色表示具３に表示された複数の前記指標色群の中の前記差込体２を前記水田土壌１中に差し込んでいた時間に対応する指標色群と、前記差込体２の変色後の色とを照合して、前記水田土壌１中に発生している硫化水素の濃度を確知することを特徴とする水田における硫化水素の発生状況確認方法に係るものである。
【発明の効果】
【００１０】
本発明は上述のように構成したから、差込体を水田土壌に差し込み、所定時間経過したら抜き取って、差し込んだ部分に変色が見られるかどうかを確認するだけの極めて簡易な作業で、米生産者が自身で容易に水田土壌中に硫化水素が発生しているか否かを確認することができ、これにより、いち早く硫化水素の発生を確知することができ、水田土壌中の硫化水度濃度が上昇して苗や稲に根の機能障害（根腐れ）が生じる前に、一時落水や田面水の更新などの対処により水田土壌中の硫化水素の濃度を低下させることができ、高品質、安定生産を実現できる従来にない実用性に優れた画期的な水田土壌用硫化水素検知装置となる。
【００１１】
また、差込体の表面、即ち、銀表面に生成した硫化銀は、公知の手法（例えば水にアルミニウムと食塩とを混入し沸騰させた液に浸漬する）により、除去して再生することができるので、何度でも使用することができる経済性に優れた水田土壌用硫化水素検知装置となる。
【００１２】
しかも、本発明は、単に硫化水素の発生の有無を検知するだけでなく、どの程度発生しているかも判断することができ、適切なタイミングで対処を行なうことができ、効率良く作業を行うことができる、より一層実用性に優れた水田土壌用硫化水素検知装置となる。
【００１３】
更に、安価に且つ容易に作成することができる一層実用性に優れた水田土壌用硫化水素検知装置となる。
【００１４】
また、請求項３記載の発明においては、極めて安価に且つ容易に水田土壌中の硫化水素の発生状況を確認することができる画期的な水田における硫化水素の発生状況確認方法となる。
【図面の簡単な説明】
【００１５】
【図１】本実施例の差込体を示す説明図である。
【図２】本実施例の硫化水素濃度確知用指標色表示具を示す図である。
【図３】本実施例の使用状態を示す図である。
【発明を実施するための形態】
【００１６】
好適と考える本発明の実施形態を、図面に基づいて本発明の作用を示して簡単に説明する。
【００１７】
差込体２を水田土壌１に差し込み、所定時間（例えば３０分〜２時間程度）経過した後、この差込体２を水田土壌１から抜き取り、この水田土壌１に差し込んでいた部分に変色が生じているか否かを目視にて確認する。
【００１８】
本発明の差込体２は、表面（水田土壌１と接する部分）に銀（Ａｇ）が露出した構成としているので、水田土壌１中に硫化水素（Ｈ２Ｓ）が発生していると、この硫化水素と差込体２の表面の銀とが反応し、差込体２の表面に硫化銀（Ａｇ２Ｓ）の皮膜が形成されて黒っぽく変色（黒変）する（但し、反応時間や発生している硫化水素の濃度により、黄色っぽい色や青っぽい色に変色する場合もある。）ので、この変色が見られれば、水田土壌１中に硫化水素が発生していると判断することができ、また、変色が見られなければ、水田土壌１中に硫化水素が発生していない、若しくは発生していても影響のない極めて低い濃度であると判断することができる。
【００１９】
このように、本発明は、単に水田土壌１に所定時間差し込み、変色の有無を目視にて確認するだけの極めて簡易な作業で、容易に水田土壌１中の硫化水素の発生の有無を検知することができるので、生産者（例えば農家の人）が手軽に使え、容易に水田土壌１中の硫化水素の発生の有無を確認することができる画期的な水田土壌用硫化水素検知装置となる。
【００２０】
しかも、本発明の差込体２は、容易に実施可能な公知の手法（例えば水にアルミニウムと食塩とを混入し沸騰させた液に浸漬する）により、表面に形成された硫化銀を除去して変色した部分をきれいにする再生処理ができるので、何度でも繰り返し使用することができる経済性に優れた水田土壌用硫化水素検知装置となる。
【００２１】
また、本発明の水田土壌用硫化水素検知装置を、例えば差込体２に生じた変色の色が、水田土壌１中に発生している硫化水素が管理基準値以下若しくは管理基準値以上の濃度を示す色か否かを判断する指標色を表示した硫化水素濃度判断用指標色表示具を備えた構成、若しくは、差込体２に生じた変色の色が、水田土壌１中に発生している硫化水素がどの程度の濃度を示す色であるかを確知する濃度情報を付記した複数の指標色を表示した硫化水素濃度確知用指標色表示具３を備えた構成とすれば、単に硫化水素が発生しているか否かを検知するだけでなく、硫化水素がどの程度発生しているかを（多いか少ないかを）測定することができ、これにより、硫化水素が発生していても、苗や稲に悪影響を及ぼさないような低濃度であれば、わざわざ一時落水や田面水の更新等の作業をしなくてもよいので、その見極めを（一時落水や田面水の更新等が必要か否かを）容易に判断することができるようになり、適切なタイミングで効率的に前記作業を行うことができる、より一層実用性に優れた水田土壌用硫化水素検知装置となる。
【実施例】
【００２２】
本発明の具体的な実施例について図面に基づいて説明する。
【００２３】
本実施例は、水田土壌１中の硫化水素の発生の有無を検知する硫化水素検知装置に係るものであり、具体的には、水田土壌１に差し込み可能な板状または棒状で、硫化水素と反応して変色する銀部材で構成した、若しくは基体表面に硫化水素と反応して変色する銀部材を形成した構成とした差込体２と、この差込体２に生じた変色の色が、水田土壌１中に発生している硫化水素がどの程度の濃度を示す色であるかを確知する濃度情報を付記した複数の指標色を表示した硫化水素濃度確知用指標色表示具３とから成るものである。
【００２４】
以下、本実施例に係る構成各部について詳細に説明する。
【００２５】
本実施例の差込体２は、ステンレス製の基体の表面に銀メッキを施して成る構成としている。
【００２６】
更に具体的に説明すると、本実施例の差込体２は、水田土壌１の作土部分（田面から鋤床までの深さ１００〜１５０ｍｍ程度の表層部分）に差し込んで埋設できるよう、長さ１５０〜２００ｍｍ、幅２０〜３０ｍｍ、厚さ２〜３ｍｍ程度の剛性の有する帯板状に形成したステンレス製の基体の表面全体に銀メッキを施した構成としている。
【００２７】
また、本実施例の差込体２は、上部に目印部４を設けた構成とし、この目印部４が田面に露出するように差込体２を水田土壌１に埋設することで、差込体２の埋設位置を見失わず、容易に埋設位置を把握することができるように構成している。
【００２８】
具体的には、差込体２の上部に表裏方向に貫通する貫通孔５を形成し、この貫通孔５に紐状に形成した目印部４を結び付けた構成としている。
【００２９】
また、本実施例の硫化水素濃度確知用指標色表示具３は、図示するように、差込体２を水田土壌１に差し込んでいた時間、即ち硫化水素との反応時間別の指標色を対応する濃度に合わせて並設表示した構成としている。
【００３０】
具体的には、本実施例の硫化水素濃度確知用指標色表示具３は、濃度が既知の硫化水素標準液（０．５ｐｐｍ，２ｐｐｍ，４ｐｐｍ，５ｐｐｍ）に、銀メッキを施した試験片を所定時間（０．５Ｈ，１．０Ｈ，１．５Ｈ，２．０Ｈ）浸漬して変色させて作成した指標色を時間ごとに濃度順に並べて形成した構成としたものである。
【００３１】
差込体２の変色は、水田土壌１中の硫化水素の濃度と、差込体２を水田土壌１に差し込んでいた時間、即ち反応時間によって決まるものであり、例えば、水田土壌１中の硫化水素の濃度が２ｐｐｍであった場合でも、差し込んでいた時間が長いほうが、より反応が進んで変色が濃い色となる（より黒っぽい色になる）。
【００３２】
従って、単に差込体２の変色の色だけでは水田土壌１中の硫化水素の濃度を決定することは出来ず、反応時間も考慮したうえで、その変色の色から水田土壌１中の硫化水素濃度を決定する構成としている。
【００３３】
即ち、例えば、差込体２を水田土壌１に差し込んでいた時間が１時間であった場合は、図中の左から２番目の列の指標色と照合し、また、例えば、差込体２を水田土壌１に差し込んでいた時間が２時間であった場合は、図中の一番右の列の指標色と照合し、濃度を決定する構成としている。
【００３４】
次に本実施例の硫化水素検知装置を用いた水田における硫化水素の発生状況確認方法について説明する。
【００３５】
先ず、図示するように、水田に差込体２を差し込み埋設する。具体的には、差込体２の上部に設けた目印部４が田面に見えるようにして所定の深さ（本実施例では、作土の深さの１２０〜１４０ｍｍ程度の深さに差し込み埋設する。
【００３６】
より具体的には、本実施例では、水田の複数個所に差込体２を埋設し、硫化水素の発生箇所が偏在している場合でも、もれなく検知することができるようにしている。
【００３７】
そして、所定時間（３０分〜２時間程度が好ましい）放置した後、この差込体２を水田土壌１から引き抜く。
【００３８】
そして、この水田土壌１に差し込んでいた部分に変色が見られるかどうか目視にて確認する。
【００３９】
変色が見られた場合、硫化水素濃度確知用指標色表示具３で水田土壌１に発生している硫化水素の濃度を確認する。
【００４０】
具体的には、硫化水素濃度確知用指標色表示具３中の、銀と硫化水素との反応時間となる差込体２を水田土壌１に差し込んでいた時間に対応する時間が表示されている列の各濃度を示す指標色と、差込体２の変色した色とを照合し、最も近い指標色を選定し、この選定した指標色に付記されている濃度情報を視認し、水田土壌１中に発生している硫化水素の濃度を確知する。
【００４１】
例えば、放置時間（反応時間）が１時間の場合、図中の硫化水素濃度確知用指標色表示具３の１Ｈと表示された列に並ぶ各指標色と、差込体２の変色した色とを比較照合し、例えば、この差込体２の変色した色が上から３番目の指標色に最も近かった場合、この指標色の左側に表示されている濃度情報を読み取ることで、水田土壌１に発生している硫化水素の濃度が２ｐｐｍであると確知することができる。
【００４２】
即ち、本実施例は、予め管理の基準となる濃度（苗や稲に悪影響を及ぼす濃度、言い換えると、一時落水や田面水の更新をしなければならない濃度）を設定することで、この差込体２の変色具合により確知した水田土壌１の硫化水素の濃度が管理基準値以上の濃度であれば、直ぐに一時落水や田面水の更新等により硫化水素の濃度を低下させる措置を取り、また、管理基準値以下の濃度であれば、直ぐに一時落水や田面水の更新等の硫化水素の濃度を低下させる措置を取る必要が無く、しばらく様子を見るという判断ができ、適切なタイミングで対処を行なうことができ、一時落水や田面水の更新等の作業を効率的に行うことができることとなる。
【００４３】
このように、本実施例の硫化水素検知装置は、差込体２を水田土壌１に差し込み、所定時間経過したら抜き取って、差し込んだ部分に変色が見られるかどうかを目視で確認するだけの極めて簡易な作業で、生産者（農家の人）がだれでも容易に水田土壌１中に硫化水素が発生しているか否かを確認することができ、これにより、いち早く硫化水素の発生を確知することができ、水田土壌１中の硫化水度の濃度が上がり苗や稲に根の機能障害（根腐れ）が生じる前に、一時落水や田面水の更新などの対処により水田土壌中の硫化水素の濃度を低下させることができ、水稲栽培の高品質、安定生産を実現できる。
【００４４】
しかも、本実施例の硫化水素検知装置は、安価に入手可能で、しかも、容易に再生できて繰り返し使用することができるので、コストが掛からず、一層手軽に誰にでも使用することができる極めて実用性の高い硫化水素検知装置となる。
【００４５】
更に、本実施例の硫化水素検知装置は、硫化水素濃度確知用指標色表示具３を用いて、差込体２の変色の色から水田土壌１の硫化水素の濃度も確知することができるので、例えば、単に硫化水素の発生の有無だけで一時落水や田面水の更新などの対処の実施を判断する場合は、水田土壌１の硫化水素の濃度が苗や稲に影響を及ぼさない低い濃度で、本来、一時落水や田面水の更新等の作業をしなくても良い場合でも、これらの対処作業を実施することになるが、本実施例のように硫化水素濃度確知用指標色表示具３を用いることで、水田土壌１の硫化水素の濃度を確知し、この確知した水田土壌１中の硫化水素の濃度が苗や稲に影響を及ぼす濃度か否か、即ち管理基準値濃度以上か以下かを確知することによって、水田土壌１の硫化水素の発生状況が一時落水や田面水の更新等の作業が必要な状況か否かを容易に判断することができ、これにより、行わなくても良い作業を行うという無駄を省くことができ、生産者は、余計な労力を費やす必要がなくなり、負荷が軽減され、一時落水や田面水の更新等の作業を適切なタイミングで効率的に行うことができることとなる。
【００４６】
尚、本発明は、本実施例に限られるものではなく、各構成要件の具体的構成は適宜設計し得るものである。
【符号の説明】
【００４７】
１  水田土壌
２  差込体
３  硫化水素濃度確知用指標色表示具
【図１】
0006507352.tif 000002
【図２】
0006507352.tif 000003
【図３】
0006507352.tif 000004